(57)【特許請求の範囲】
【請求項１】
半導体集積回路に接続される接続部を形成している基板上の形成面にて、電極を配置する電極領域以外が絶縁層にて覆われた半導体集積回路を、該電極が露出するように固定する固定工程と、
上記電極と接続部とを電気的に接続する配線が形成される配線領域に下地金属膜を形成する金属膜形成工程と、
上記配線領域の下地金属膜上に、メッキによって上記配線を形成する配線形成工程と、
上記基板および上記半導体集積回路を、９０°、または１８０°まで折り返す折返し工程とを備えていることを特徴とする半導体装置の製造方法。
【請求項２】
金属膜形成工程は、半導体集積回路及び基板上の全面を金属膜にて覆った後に、配線領域以外の上記金属膜を覆う被覆層を形成することによって、配線領域の下地金属膜を形成し、
配線形成工程は、メッキを行った後に、さらに上記被覆層及び配線領域以外の金属膜を除去することにより、配線を形成することを特徴とする請求項１記載の半導体装置の製造方法。
【請求項３】
接続部材が形成面にて形成された基板と、
電極を有し、該電極を配置する電極領域以外が絶縁層に覆われ、電極領域が露出するように上記基板の形成面に固定される半導体集積回路と、
上記電極と接続部材とを電気的に接続するように、メッキにて形成された配線とを備え、
上記基板および上記半導体集積回路は、９０°、または１８０°まで屈曲可能であることを特徴とする半導体装置。
【請求項４】
上記基板の両面に上記半導体集積回路が固定されていることを特徴とする請求項３記載の半導体装置。
【請求項５】
請求項３記載の半導体装置が複数積層され、
各半導体装置の接続部材に電気的に接続する導電体が設けられるとともに、該導電体を介して各半導体装置が相互に電気的に接続されていることを特徴とする積層型半導体装置。
【請求項６】
各半導体装置には位置決め孔が設けられるとともに、該位置決め孔にて位置合わせがなされて各半導体装置が積層されていることを特徴とする請求項５記載の積層型半導体装置。
【発明の詳細な説明】
【０００１】
【発明の属する技術分野】
本発明は、半導体集積回路を用いた半導体装置、積層型半導体装置及び半導体装置の製造方法に関するものである。
【０００２】
【従来の技術】
小型携帯電子機器の分野では、電子機器内に搭載される電子部品の小型化や軽量化とともに、高機能化が図られている。電子機器の小型化とともに高機能化を実現するために、電子部品を高密度で実装することや、電子機器内の限られた空間を有効に利用することが試みられている。
【０００３】
半導体集積回路やチップ抵抗、チップコンデンサ等のディスクリート電子部品は、基板に設置され、該基板とともに電子機器に実装される。そこで、剛性が低く、フレキシブル性に優れた材質の基板を用いて、基板を自由に屈曲させることにより、電子機器内の空間を有効に活用することが考えられる。基板が屈曲することにより、基板に設置されたディスクリート電子部品も屈曲するため、ディスクリート電子部品自体も自由に屈曲することができるように加工する必要がある。
【０００４】
特開２０００−２７７６８３号公報には、半導体集積回路を極めて薄く加工することにより、基板の屈曲とともに、半導体集積回路が湾曲可能である半導体装置が開示されている。該公報の半導体装置は、フレキシブル性に優れた半導体集積回路及び基板を用いることにより、曲面への実装を可能にしている。
【０００５】
【発明が解決しようとする課題】
しかしながら、上記特開２０００−２７７６８３号公報の半導体装置では、半導体集積回路と基板との電気的な接続に関して、煩雑な製造工程が必要であり、製造に時間を要するという問題を有している。
【０００６】
つまり、上記公報の半導体装置では、図１２及び図１３に示すように、基板６１に設けられた外部接続用の端子６２と、半導体集積回路６３に設けられた電極パッド６４とを接続するための接続配線として、金バンプ６５（図１２）や半田６６（図１３）を用いている。金バンプ６５を接続配線として用いる場合には、半導体集積回路６３を基板６１に設置する前に、あらかじめ金バンプ６５を半導体集積回路６３に形成しておく必要がある。そのため、金バンプ６５を形成する製造工程が必要となり、半導体装置の製造に時間がかかるという問題がある。また、接続配線として半田６６を用いる場合には、金属配線６２と電極パッド６４との接合箇所に、半田を塗布する必要があり、製造工程が煩雑化するという問題がある。
【０００７】
本発明は、上記従来の問題点を解決するためになされたものであって、その目的は、フレキシブル性に優れた半導体集積回路及び基板を備えることにより、電子機器の内部空間を有効利用し、電子機器の小型化を実現し得る半導体装置であって、半導体集積回路と基板とを電気的に接続する配線の形成方法を簡便にすることにより、製造に要する時間を短縮し、製造コストを低減し得る半導体装置、積層型半導体装置及び半導体装置の製造方法を提供することにある。
【０００８】
【課題を解決するための手段】
本発明の半導体装置の製造方法は、上記課題を解決するために、半導体集積回路に接続される接続部が形成されている基板上の形成面にて、電極を配置する電極領域以外が絶縁層にて覆われた半導体集積回路を、該電極が露出するように固定する固定工程と、上記電極と接続部とを電気的に接続する配線が形成される配線領域に下地金属膜を形成する金属膜形成工程と、上記配線領域の下地金属膜上に、メッキによって上記配線を形成する配線形成工程と、上記基板および上記半導体集積回路を、９０°、または１８０°まで折り返す折返し工程とを備えていることを特徴としている。
【０００９】
上記の方法によれば、基板上に半導体集積回路を固定し、配線領域の下地金属膜上にてメッキを行っているので、下地金属膜上にメッキ金属が堆積し、配線が形成される。これにより、基板上の接続部と半導体集積回路とを電気的に接続することができる。従って、従来のように、あらかじめ半導体集積回路に配線を形成する工程や、基板と半導体集積回路との接合箇所に半田を塗布する工程を経て、基板と半導体集積回路を接続する必要がなく、メッキを行うことによって、配線を容易に形成することができる。その結果、半導体装置の製造工程が簡略化され、また、製造に要する時間を短縮し、製造コストを削減することができる。
【００１０】
また、本発明の半導体装置の製造方法は、上記の半導体装置の製造方法において、金属膜形成工程は、半導体集積回路及び基板上の全面を金属膜にて覆った後に、配線領域以外の金属膜を覆う被覆層を形成することによって、配線領域の下地金属膜を形成し、配線形成工程は、メッキを行った後に、さらに上記被覆層及び配線領域以外の金属膜を除去することにより、配線を形成することを特徴としている。
【００１１】
上記の方法によれば、半導体集積回路及び基板上の全面に形成された金属膜のうち、配線領域以外を覆っている金属膜をさらに被覆層にて覆うことによって、配線領域の金属膜のみを露出させ、該配線領域の金属膜を下地金属膜としているので、配線領域の下地金属膜を容易に形成することができる。また、配線領域以外の金属膜は、被覆層によって覆われているために、配線形成工程でのメッキによって、配線領域以外の金属膜上にメッキ金属が堆積することはない。さらに、メッキが行われた後に、被覆層及び配線領域以外の金属膜を除去している。それゆえ、配線領域の下地金属膜上に、容易に配線を形成することができる。
【００１２】
また、本発明の半導体装置は、接続部材が形成面にて形成された基板と、電極を有し、該電極を配置する電極領域以外が絶縁層に覆われ、電極領域が露出するように上記基板の形成面に固定される半導体集積回路と、上記電極と接続部材とを電気的に接続するように、メッキにて形成された配線とを備え、上記基板および上記半導体集積回路は、９０°、または１８０°まで屈曲可能であることを特徴としている。
【００１３】
上記の発明によれば、メッキによって形成された配線を介して、電極と接続部材とを接続しているので、簡便に製造可能な半導体装置を得ることができる。また、配線がメッキによって形成されるため、低コスト化を実現した半導体装置を提供することができる。
【００１４】
なお、上記接続部材は、半導体集積回路の電極が配線を介して電気的に接続され、基板上の形成面に形成される部材であって、例えば、外部装置に接続される端子、他の半導体集積回路の電極、抵抗やコンデンサ等の半導体集積回路以外のディスクリート電子部品を挙げることができる。
【００１６】
上記の発明によれば、基板及び半導体集積回路を任意の箇所にて、自由に屈曲させることができる。従って、半導体装置を小型携帯電子機器内に設置する場合に、電子機器内の限られた空間を有効に活用可能となるように、半導体装置を屈曲させることができる。これにより、電子機器の高機能化とともに、小型化を実現することができる。
【００１７】
また、本発明の半導体装置は、上記の半導体装置において、基板の両面に上記半導体集積回路が固定されていることを特徴としている。
【００１８】
上記の発明によれば、複数の半導体集積回路を基板上に固定する場合にも、電極と接続部材とを接続する配線をメッキによって形成することができるので、簡便に製造可能な半導体装置を得ることができる。
【００１９】
また、本発明の積層型半導体装置は、上記の半導体装置が複数積層され、各半導体装置の接続部材に電気的に接続する導電体が設けられるとともに、該導電体を介して各半導体装置が相互に電気的に接続されていることを特徴としている。
【００２０】
上記の発明によれば、複数の半導体装置を電子機器内部に設置する場合にも、電子機器内の限られた空間の有効に利用し、電子機器の小型化を図ることができる。
【００２１】
また、本発明の積層型半導体装置は、上記の積層型半導体装置において、各半導体装置には位置決め孔が設けられるとともに、該位置決め孔にて位置合わせがなされて各半導体装置が積層されていることを特徴としている。
【００２２】
上記の発明によれば、各半導体装置に位置決め孔が設けられているので、位置決め孔を一致させることによって、各半導体装置を積層する位置を決定することができる。そのため、各半導体装置を容易に積層することができる。
【００２３】
【発明の実施の形態】
〔実施の形態１〕
本発明の実施の一形態について図１ないし図６に基づいて説明すれば、以下の通りである。
【００２４】
まず初めに、本実施の形態の半導体装置の製造方法について、図２に基づいて説明する。なお、本実施の形態の半導体装置の製造工程や製造条件は、通常行われている製造工程や製造条件に変わるものではなく、特段の場合を除いて、その詳細な説明は省略する。
【００２５】
本実施の形態にて用いられる半導体集積回路（以下、ＩＣと記載する）１０３は、ケイ素（Ｓｉ）またはＳＯＩ（Silicon on Insulator ）を基材にして作製され、５μｍの厚さを有している。ＩＣ１０３は、極薄に作製されているので、自由に屈曲することができるフレキシブル性を備えている。ＩＣ１０３は、図２（ａ）に示すように、ＩＣ上面に電極としての電極パッド１０４を有し、該電極パッド１０４が露出するように、絶縁性の酸化膜（絶縁層）１０５によってＩＣ上面が覆われている。電極パッド１０４は、アルミニウム（Ａｌ）にて形成されている。なお、以下では、電極パッド１０４が露出している側のＩＣ１０３面をＩＣ上面と称し、ＩＣ上面に平行であるもう一つの面をＩＣ下面と称する。さらに、ＩＣ上面及びＩＣ下面に対して垂直方向にある、ＩＣ１０３の厚さ方向の面を側面と称する。
【００２６】
また、基板１０１は、ＩＣ１０３を設置する基板である。基板１０１の基板上面（形成面）には、パターニングされた導体部分として、接続用の端子１０２が備えられ、後述するように、この端子１０２とＩＣ１０３とが電気的に接続される。基板１０１のベース部分は、フレキシブル性に優れた材質で形成され、本実施の形態では、１０μｍの厚さを有するポリイミド製である。さらに、基板上面の所定の場所には、熱硬化性の接着剤１０６が印刷され、この位置にてＩＣ１０３が設置される。なお、以下では、基板１０１のＩＣ１０３が設置される側を基板上面と称する。
【００２７】
本実施の形態では、屈曲可能な半導体装置を製造するために、上記ＩＣ１０３及び基板１０１は、フレキシブル性を備えているが、屈曲しない半導体装置を製造する場合にも適用することができる。つまり、フレキシブル性を有していない半導体装置を製造する場合には、ＩＣ１０３及び基板１０１がフレキシブル性を備えていなくてもよい。
【００２８】
上記ＩＣ１０３は、基板１０１の基板上面の接着剤１０６上にて、ＩＣ下面と接着剤１０６とが接触するように配置され、ＩＣ１０３をマウンタで軽く押さえた状態でオーブンにて熱せられる。接着剤１０６は熱硬化性であるため、加熱により硬化し、図２（ａ）に示すように、ＩＣ１０３を基板上面にて接着固定する。
【００２９】
続いて、ＩＣ１０３のＩＣ上面及び基板１０１の基板上面の全体に、図２（ｂ）に示すように、スピンコーターを用いてネガ型感光性ポリマー１０７を塗布する。塗布されたネガ型感光性ポリマー１０７の厚さは、約３μｍである。このネガ型感光性ポリマー１０７は、後述する配線形成時に、ＩＣ１０３の側面に露出しているＳｉによって、配線間に生じる電気的なリークを防止するための絶縁層を形成する。
【００３０】
次いで、ＩＣ１０３の側面に露出しているＳｉを覆うように、後述する絶縁膜１０７ａを形成するために、図２（ｃ）に示すように、フォトリソグラフ用のマスク１１５を、ＩＣ１０３の側面領域以外のネガ型感光性ポリマー１０７を覆うように配置する。そして、マスク１１５を介して、基板上面及びＩＣ上面のネガ型感光性ポリマー１０７に光を照射する。光照射の後、マスク１１５を外して、ネガ型感光性ポリマー１０７を現像液処理する。
【００３１】
このとき、ネガ型感光性ポリマー１０７用いているため、マスク１１５によって覆われずに露光された領域のネガ型感光性ポリマー１０７は、現像液によって除去されることなく、ＩＣ１０３及び基板１０１上に残る。一方、マスク１１５によって覆われ、露光されなかったネガ型感光性ポリマー１０７は、現像液によってＩＣ１０３及び基板１０１上から除去される。従って、上記露光処理及び現像液処理によって、図２（ｄ）に示すように、ＩＣ１０３の側面を覆うように絶縁層としての絶縁膜１０７ａが形成される。
【００３２】
なお、本実施の形態では、上記絶縁膜１０７ａの形成工程にて、感光性ポリマーとしてネガ型の感光性ポリマーを用いたが、ポジ型の感光性ポリマーを用いてもよい。ポジ型の感光性ポリマーを使用する場合は、現像液処理により、光が照射された領域の感光性ポリマーが除去される。よって、ＩＣ１０３のＩＣ上面及び基板１０１の基板上面の全体に、ポジ型の感光性ポリマーを塗布した場合、絶縁膜１０７ａを形成する領域の感光性ポリマーが露光されないようにマスクを配置すればよい。
【００３３】
また、マスク１１５は、基板上面及びＩＣ上面に配置される時に生じる位置合わせのずれや、光照射時の光の回折によって生じるずれを考慮して設計することが好ましい。つまり、図２（ｄ）に示すように、ＩＣ１０３の側面だけではなく、ＩＣ上面からＩＣ１０３の側面を経て、基板１０１の基板上面にまで及ぶ絶縁膜１０７ａを形成することができるように、マスク１１５を設計することが好ましい。
【００３４】
上記のように絶縁膜１０７ａが形成されると、図２（ｅ）に示すように、基板上面及びＩＣ上面の全面に、さらに金属膜である金属薄膜１０８を形成する。金属薄膜１０８は、例えば、チタンタングステン（ＴｉＷ）膜と、ＴｉＷ膜上の銅（Ｃｕ）蒸着膜とによって形成される。この場合、まずスパッタリング法により、ＴｉＷ膜を約０．１μｍの厚さで形成し、続いて蒸着法により、ＴｉＷ上に銅（Ｃｕ）蒸着膜を約０．２μｍ堆積して、金属薄膜１０８を形成する。ＴｉＷ膜は、電極パッド１０４のＡｌの拡散を防ぎ、また、ＴｉＷ膜上のＣｕ蒸着膜の拡散を防ぐ。Ｃｕ蒸着膜のうち、後述する配線領域のＣｕ蒸着膜は、Ｃｕメッキを行うための下地金属膜になる。
【００３５】
次に、後述する配線１０９が形成される配線領域である開口部１１６（図３（ｃ））を形成する工程について説明する。開口部１１６は、図３（ｃ）に示すように、基板１０１の基板上面に設けられた端子１０２のＩＣ１０３側の一端領域と、端子１０２とＩＣ１０３との間にある基板上面と、電極パッド１０４が設けられている領域のＩＣ上面とを有するように形成され、後述する配線１０９が形成される配線領域に相当する。
【００３６】
具体的には、図３（ａ）に示すように、まず、金属薄膜１０８を形成した基板上面及びＩＣ上面に、スピンコーターにてポジ型のフォトレジスト１１７を塗布する。塗布されたフォトレジスト１１７の厚さは、約１０μｍである。次いで、図３（ｂ）に示すように、上述した開口部１１６以外の領域のフォトレジスト１１７を覆うように、フォトリソグラフ用のマスク１１８を配置する。そして、マスク１１８を介して、基板上面及びＩＣ上面のフォトレジスト１１７に光を照射する。
【００３７】
フォトレジスト１１７はポジ型であるため、露光された領域のフォトレジスト１１７は現像液にて除去されるので、図３（ｃ）に示すように、開口部１１６が形成される。開口部１１６の金属薄膜１０８は、後述するＣｕメッキを行うための下地金属膜である。一方、端子１０２上及びＩＣ１０３上にて露光されなかった領域のフォトレジスト１１７は、被覆層１１７ａとして端子１０２上及びＩＣ１０３上に残る。
【００３８】
続いて、図３（ｄ）に示すように、メッキ法によって開口部１１６にＣｕメッキを形成する。このＣｕメッキが、基板１０１上の端子１０２と、ＩＣ１０３上の電極パッド１０４とを電気的に接続する配線１０９になる。開口部１１６は、上述したように、現像液によってフォトレジスト１１７が除去されると、金属薄膜１０８のＣｕ蒸着膜が露出した状態になっている。そのため、Ｃｕメッキ液に浸漬することにより、金属薄膜１０８がカレントフィルムとして通電され、開口部１１６のＣｕ蒸着膜上にＣｕが成長して堆積する。その結果、開口部１１６全体を覆うようにＣｕメッキが形成され、このＣｕメッキが配線１０９になる。形成される配線１０９の厚さは、約５μｍである。
【００３９】
一方、金属薄膜１０８を被覆層１１７ａが覆っている領域は、金属薄膜１０８のＣｕ蒸着膜が露出していないため、Ｃｕメッキ液に浸漬してもＣｕメッキは形成されない。
【００４０】
なお、開口部１１６に形成された配線１０９上に、さらに、ニッケル（Ｎｉ）メッキを施してもよい。詳細な説明は省略するが、Ｎｉメッキは、配線１０９に金（Ａｕ）のフラッシュメッキを行う場合に、Ｃｕ及びＡｕの拡散を防ぐ。Ｎｉメッキの厚さは、例えば、約３μｍである。また、上記Ｃｕメッキ法として、電解メッキ法を示したが、無電解メッキ法であってもよい。
【００４１】
次いで、被覆層１１７ａとして残存しているフォトレジストを剥離剤で除去する。被覆層１１７ａが除去されると、図３（ｅ）に示すように、Ｃｕメッキによって形成された配線１０９は、開口部１１６に形成された金属薄膜１０８に、電気的に接続された状態となる。
【００４２】
さらに、Ｃｕのエッチャント及びＴｉＷのエッチャントを用い、図４（ａ）に示すように、ＩＣ１０３のＩＣ上面及び端子１０２上に堆積した金属薄膜１０８を形成するＣｕ蒸着膜及びＴｉＷを除去する。このとき、Ｃｕのエッチャントによって、Ｃｕメッキにて形成された配線１０９もエッチングされる。しかしながら、Ｃｕ蒸着膜に比べてＣｕメッキは十分に厚いため、上記エッチングによって、配線１０９の機能が失われることはない。つまり、配線１０９は、開口部１１６に形成された金属薄膜１０８を覆い、電極パッド１０４と端子１０２とを電気的に接続している。
【００４３】
そして、ＩＣ１０３のＩＣ上面及び配線１０９を保護するために、図４（ｂ）に示すように、端子１０２、ＩＣ１０３、配線１０９上に、スピンコーターによってポジ型感光性ポリマー１１０を塗布する。塗布されたポジ型感光性ポリマー１１０の厚さは、約５μｍである。続いて、図４（ｃ）に示すように、配線１０９とＩＣ上面とを覆うように、マスク１１９を配置する。マスク１１９を介して、端子１０２、ＩＣ１０３、配線１０９上に光を照射し、現像液処理を行う。マスク１１９に覆われずに露光されたポジ型感光性ポリマー１１０は、現像液処理によって除去され、図４（ｄ）に示すように、配線１０９とＩＣ１０３のＩＣ上面とを覆うように保護膜１１０ａが形成された半導体装置１００を得る。
【００４４】
なお、上記開口部１１６の形成及び、上記保護膜１１０ａの形成にあたって、ポジ型のフォトレジスト１１７及びポジ型感光性ポリマー１１０を用いたが、ネガ型のフォトレジストや感光性ポリマーであってもよい。この場合、フォトレジスト及び感光性ポリマーを除去する領域が露光されないように、マスク１１８、１１９を設計すればよい。
【００４５】
このように、基板１０１上に、ＩＣ１０３を固定し、フォトリソグラフィ法及びメッキ法を行うことによって、基板１０１とＩＣ１０３とを電気的に接続する配線１０９を形成しているので、従来に比べて、半導体装置１００の製造方法をより一層簡略化することができる。また、半導体装置１００の製造方法が簡略化されることにより、半導体装置１００の製造に要する時間を短縮し、製造コストを削減することができる。
【００４６】
以上の工程によって製造された半導体装置１００は、図１（ｂ）に示すように、基板１０１の基板上面に、接着剤１０６を介してＩＣ１０３が接着固定されている。ＩＣ上面に形成された電極パッド１０４は、金属薄膜１０８上にてＣｕメッキによって形成された配線１０９を介して、基板上面に備えられた端子１０２に電気的に接続されている。さらに、配線１０９及びＩＣ１０３の表面を保護する保護膜１１０ａが形成されている。
【００４７】
また、ＩＣ１０３以外のディスクリート電子部品１２０は、図１（ａ）に示すように、基板１０１の基板上面に配置され、必要に応じて、配線１０９を介してＩＣ１０３に電気的に接続されている。
【００４８】
上記半導体装置１００は、フレキシブル性を有する基板１０１及びＩＣ１０３にて構成されているので、自由に屈曲することができる。例えば、図１（ｂ）に示す半導体装置１００は、ＩＣ１０３の中央部分で屈曲させることにより、図５に示すように、約９０°に屈曲した半導体装置１５０を得ることができる。また、図６に示すように、配線１０９上に形成された保護膜１１０ａが、他の配線１０９上に形成された保護膜１１０ａに接触するまで、半導体装置１００を屈曲させた半導体装置１６０を得ることもできる。
【００４９】
このように、上記半導体装置１００は、フレキシブル性に優れた基板１０１及びＩＣ１０３を用いることによって、任意の複数箇所にて、半導体装置１００を屈曲させることができる。従って、図１（ｂ）に示すような平板状の半導体装置１００を小型携帯電子機器内に設置する代わりに、図５または図６に示すような屈曲した半導体装置１５０、１６０を設置することにより、電子機器内の限られた空間の有効利用が可能となり、電子機器をさらに小型化することが可能になる。
【００５０】
〔実施の形態２〕
本発明の他の実施の形態について図７（ａ）（ｂ）に基づいて説明すれば、以下の通りである。なお、説明の便宜上、前記の実施の形態１の図面に示した部材と同一の機能を有する部材については、同一の符号を付し、その説明を省略する。
【００５１】
本実施の形態の半導体装置２００は、前記実施の形態１に記載した工程によって製造される。つまり、半導体装置２００は、図７（ｂ）に示すように、基板２０１の同一面上に、２つのＩＣ１０３・１０３を接着固定し、フォトリソグラフィ法及びメッキ法を行うことによって製造される。メッキ法によって形成される配線２０９は、図７（ａ）に示すように、各ＩＣ１０３が有する電極パッド１０４の一部を相互に電気的に接続し、各ＩＣ１０３が有する残りの電極パッド１０４を接続用端子に電気的に接続している。
【００５２】
従って、半導体装置２００に複数のＩＣ１０３を設置する場合にも、感光性ポリマーやフォトレジストを用いたフォトリソグラフィ法及びメッキ法により、半導体装置２００を容易に製造することができる。
【００５３】
また、各ＩＣ１０３は、フレキシブル性を備えているため、任意の複数箇所にて屈曲させることができる。そのため、基板２０１上に複数のＩＣ１０３を配置する場合にも、基板２０１を平板状のまま屈曲させずに用いるのではなく、自由に屈曲させることによって、電子機器内の空間を有効に利用することが可能になり、電子機器の小型化を図ることができる。
【００５４】
なお、上記の半導体装置２００は、同じ種類の２つのＩＣ１０３を配置しているが、これに限定されず、異なる種類のＩＣを配置してもよい。また、３つ以上のＩＣを配置してもよい。さらに、半導体装置２００の基板２０１上には、ＩＣ以外のディスクリート電子部品が配置されていてもよい。この場合には、必要に応じて、ＩＣや基板とディスクリート電子部品とを電気的に接続する配線を形成すればよい。
【００５５】
〔実施の形態３〕
本発明の他の実施の形態について図８に基づいて説明すれば、以下の通りである。なお、説明の便宜上、前記の実施の形態の図面に示した部材と同一の機能を有する部材については、同一の符号を付し、その説明を省略する。
【００５６】
半導体装置３００は、図８に示すように、基板３０１の両面に、ＩＣ１０３が２個ずつ設置されている。基板３０１には孔３１１が設けられている。基板３０１上にパターニングによって設けられる接続用の端子３０２は、この孔３１１部分で端子孔３０２ａを形成するようにパターニングされる。
【００５７】
基板３０１の両面に設けられた各ＩＣ１０３のうち、同一面上に設けられた各ＩＣ１０３間については、前記実施の形態２にて述べたように、配線２０９（図７（ａ）参照）によって電気的に接続される。一方、異なる面に設けられた各ＩＣ１０３間は、孔３１１及び端子孔３０２ａを埋める図示しない導電体によって、電気的に接続することができる。
【００５８】
なお、上記半導体装置３００では、各面に同じ種類のＩＣ１０３を２個ずつ設置しているが、異なる種類のＩＣであってもよい。また、基板３０１の各面に、少なくとも１個以上のＩＣを設置していればよく、ＩＣは、全て同一の機能を有してもよいし、一部または全て異なる機能を有していてもよい。
【００５９】
〔実施の形態４〕
本発明の他の実施の形態について図９〜図１１に基づいて説明すれば、以下の通りである。
【００６０】
本実施の形態の積層型半導体装置６００は、図１０（ｂ）に示す第１の半導体装置４００上に、図１１（ｂ）に示す第２の半導体装置５００を、図９（ｂ）に示すように積層することによって形成されている。第１の半導体装置４００及び第２の半導体装置５００は、前記実施の形態１に記載した工程によって製造される。
【００６１】
第１の半導体装置４００は、図１０（ｂ）に示すように、基板４０１上にＩＣ４０３を有している。基板４０１には、接続用の端子４０２、孔４１１、図１０（ａ）に示す位置決め孔４１２が設けられている。接続用の端子４０２は、基板４０１上へのパターニングによって設けられ、孔４１１部分で端子孔４０２ａを形成している。また、ＩＣ４０３上に備えられた電極パッド４０４は、前記実施の形態１にて説明したメッキ法にて形成された配線４０９によって、端子４０２に電気的に接続されている。さらに、ＩＣ４０３、配線４０９、端子４０２を覆うように、保護膜４１０ａが設けられている。
【００６２】
第２の半導体装置５００は、図１１（ｂ）に示すように、基板５０１上にＩＣ５０３を有している。基板５０１には、半導体装置４００と同様に、図１１（ａ）に示す接続用の端子５０２、位置決め孔５１２、図示しない孔が設けられ、接続用の端子５０２は、基板５０１の孔部分で端子孔５０２ａを形成している。ＩＣ５０３上の電極パッド５０４は、配線５０９によって、端子５０２に接続されている。さらに、ＩＣ５０３、配線５０９、端子５０２を覆うように、保護膜５１０ａが設けられている。
【００６３】
積層型半導体装置６００は、図９（ａ）に示すように、上記第１の半導体装置４００及び第２の半導体装置５００を位置決め孔４１２、５１２にて位置決めして、第１の半導体装置４００上に第２の半導体装置５００を積層することによって得られる。このとき、図９（ｂ）に示すように、第１の半導体装置４００の保護膜４１０ａと、第２の半導体装置５００のＩＣ５０３を配置していない側の基板５０１の面とを接着剤６２０によって接合される。また、本実施の形態では、第１の半導体装置４００の孔４１１と第２の半導体装置５００の基板５０１に設けられた孔とを一致させるために、図９（ｂ）に示すように、第２の半導体装置５００の端部を屈曲させている。
【００６４】
そして、図９（ｂ）に示すように、図１０（ｂ）及び図１１（ｂ）に示す孔４１１及び基板５０１に設けられた孔と、端子孔４０２ａ及び５０２ａとを埋めるように、導電体６３０が設けられている。ＩＣ４０３とＩＣ５０３とは、この導電体６３０を介して電気的に接続される。さらに、導電体６３０は、端子６０２にて外部に接続されている。従って、積層型半導体装置６００は、端子６０２から、導電体６３０及び配線４０９、５０９を介して、電極パッド４０４、５０４に、信号や電力を供給することができる。
【００６５】
なお、上記積層型半導体装置６００は、２つ以上の半導体装置を重ねてもよく、また、基板上に複数のＩＣを有する半導体装置を積層してもよい。
【００６６】
【発明の効果】
本発明の半導体装置の製造方法は、以上のように、半導体集積回路に接続される接続部が形成されている基板上の形成面にて、電極を配置する電極領域以外が絶縁層にて覆われた半導体集積回路を、該電極が露出するように固定する固定工程と、上記電極と接続部とを電気的に接続する配線が形成される配線領域に下地金属膜を形成する金属膜形成工程と、上記配線領域の下地金属膜上に、メッキによって上記配線を形成する配線形成工程と、
上記基板および上記半導体集積回路を、９０°、または１８０°まで折り返す折返し工程とを備えている方法である。
【００６７】
それゆえ、配線領域の下地金属膜上にてメッキ金属が堆積し、配線が形成されるので、基板上の接続部と半導体集積回路との電気的接続を容易に行うことができるという効果を奏する。また、従来のように、あらかじめ半導体集積回路に配線を形成する、または、基板と半導体集積回路との接合箇所に半田を塗布する必要がないため、半導体装置の製造工程が簡略化されるという効果を奏する。さらに、半導体装置の製造に要する時間を短縮し、製造コストを削減することができるという効果を奏する。
【００６８】
また、本発明の半導体装置の製造方法は、上記の半導体装置の製造方法において、金属膜形成工程は、半導体集積回路及び基板上の全面を金属膜にて覆った後に、配線領域以外の金属膜を覆う被覆層を形成することによって、配線領域の下地金属膜を形成し、配線形成工程は、メッキを行った後に、さらに上記被覆層及び配線領域以外の金属膜を除去することにより、配線を形成する方法である。
【００６９】
それゆえ、配線領域以外の金属膜を被覆層にて覆っているので、配線領域の下地金属膜を容易に形成することができるという効果を奏する。また、配線領域以外の金属膜は、配線形成工程でのメッキによって、配線領域以外の金属膜上にメッキ金属が堆積せず、メッキが行われた後に、被覆層及び配線領域以外の金属膜が除去されるので、配線領域の下地金属膜上に容易に配線を形成することができるという効果を奏する。
【００７０】
また、本発明の半導体装置は、接続部材が形成面にて形成された基板と、電極を有し、該電極を配置する電極領域以外が絶縁層に覆われ、電極領域が露出するように上記基板の形成面に固定される半導体集積回路と、上記電極と接続部材とを電気的に接続するように、メッキにて形成された配線とを備え、上記基板および上記半導体集積回路は、９０°、または１８０°まで屈曲可能であるという構成である。
【００７１】
それゆえ、メッキによって形成された配線を介して、電極と接続部材とを接続しているので、簡便に製造可能な半導体装置を得ることができるという効果を奏する。また、配線がメッキによって形成されるため、低コスト化を実現した半導体装置を提供することができるという効果を奏する。
【００７３】
それゆえ、半導体装置を小型携帯電子機器内に設置する場合に、電子機器内の限られた空間の有効に活用可能となるように、基板及び半導体集積回路を任意の箇所にて自由に屈曲させることができるという効果を奏する。これにより、電子機器の高機能化とともに、小型化を実現することができるという効果を奏する。
【００７４】
また、本発明の半導体装置は、上記の半導体装置において、基板の両面に上記半導体集積回路が固定されているものである。
【００７５】
それゆえ、複数の半導体集積回路を基板上に固定する場合にも、電極と接続部材とを接続する配線をメッキによって形成することができ、簡便に製造可能な半導体装置を得ることができるという効果を奏する。
【００７６】
また、本発明の積層型半導体装置は、上記の半導体装置が複数積層され、各半導体装置の接続部材に電気的に接続する導電体が設けられるとともに、該導電体を介して各半導体装置が相互に電気的に接続されているものである。
【００７７】
それゆえ、複数の半導体装置を電子機器内部に設置する場合にも、電子機器内の限られた空間の有効に利用し、電子機器の小型化を図ることができるという効果を奏する。
【００７８】
また、本発明の積層型半導体装置は、上記の半導体装置において、各半導体装置に位置決め孔を設け、該位置決め孔にて位置合わせがなされて各半導体装置の積層されているものである。
【００７９】
それゆえ、各半導体装置の位置決め孔を一致させることによって、各半導体装置を積層する位置を決定することができ、各半導体装置を容易に積層することができるという効果を奏する。
【図面の簡単な説明】
【図１】（ａ）は、本発明における半導体装置の一実施の形態を示す平面図であり、（ｂ）は、本発明における半導体装置の一実施の形態を示すものであって、（ａ）のＸ−Ｘ’部分を示す断面図である。
【図２】（ａ）は、本発明における半導体装置の製造工程を説明するものであって、半導体集積回路を基板に接着固定する工程を説明する断面図であり、（ｂ）〜（ｄ）は、本発明における半導体装置の製造工程を説明するものであって、半導体集積回路に絶縁膜を形成する工程を説明する断面図であり、（ｅ）は、本発明における半導体装置の製造工程を説明するものであって、金属薄膜を形成する工程を説明する断面図である。
【図３】図２に示す本発明における半導体装置の製造工程の続きを示し、（ａ）〜（ｃ）は、本発明における半導体装置の製造工程を説明するものであって、被覆層を形成する工程を説明する断面図であり、（ｄ）（ｅ）は、本発明における半導体装置の製造工程を説明するものであって、配線を形成する工程を説明する断面図である。
【図４】図３に示す本発明における半導体装置の製造工程の続きを示し、（ａ）は、本発明における半導体装置の製造工程を説明するものであって、配線を形成する工程を説明する断面図であり、（ｂ）〜（ｄ）は、本発明における半導体装置の製造工程を説明するものであって、保護膜を形成する工程を説明する断面図である。
【図５】本発明における半導体装置を屈曲させた場合の断面図である。
【図６】本発明における半導体装置を屈曲させた場合の断面図である。
【図７】（ａ）は、本発明における半導体装置の他の実施の形態を示す平面図であり、（ｂ）は、本発明における半導体装置の他の実施の形態を示すものであって、（ａ）のＹ−Ｙ’部分を示す断面図である。
【図８】本発明における半導体装置のさらに他の実施の形態を示す断面図である。
【図９】（ａ）は、本発明における積層型半導体装置を示す平面図であり、（ｂ）は、本発明における積層型半導体装置を示すものであって、（ａ）のＺ−Ｚ’部分を示す断面図である。
【図１０】（ａ）は、本発明における積層型半導体装置を構成する第１の半導体装置を示す平面図であり、（ｂ）は、本発明における積層型半導体装置を構成する第１の半導体装置を示すものであって、（ａ）に示す第１の半導体装置のＰ−Ｐ’部分を示す断面図である。
【図１１】（ａ）は、本発明における積層型半導体装置を構成する第２の半導体装置を示す平面図であり、（ｂ）は、本発明における積層型半導体装置を構成する第２の半導体装置を示すものであって、（ａ）のＱ−Ｑ’部分を示す断面図である。
【図１２】従来の半導体装置を示す断面図である。
【図１３】従来の半導体装置を示す断面図である。
【符号の説明】
１００    半導体装置
１０１    基板
１０３    半導体集積回路（ＩＣ）
１０４    電極パッド（電極）
１０５    酸化膜（絶縁層）
１０７ａ  絶縁膜（絶縁層）
１０８    金属薄膜（金属膜）
１０９    配線
１１０ａ  保護膜
１１７ａ  被覆層
１５０    半導体装置
１６０    半導体装置
２００    半導体装置
３００    半導体装置
４００    第１の半導体装置（半導体装置）
４１２    位置決め孔
５００    第２の半導体装置（半導体装置）
５１２    位置決め孔
６００    積層型半導体装置
【図１】
0003832641.tif 000002
【図２】
0003832641.tif 000003
【図３】
0003832641.tif 000004
【図４】
0003832641.tif 000005
【図５】
0003832641.tif 000006
【図６】
0003832641.tif 000007
【図７】
0003832641.tif 000008
【図８】
0003832641.tif 000009
【図９】
0003832641.tif 000010
【図１０】
0003832641.tif 000011
【図１１】
0003832641.tif 000012
【図１２】
0003832641.tif 000013
【図１３】
0003832641.tif 000014